(57)【特許請求の範囲】
【請求項１】
主剤が収容される胴部と、該胴部内に連通した装着筒部と、を有する容器本体と、
隔壁によって区画された内容積の異なる複数の収容室を有し、少なくとも１つの収容室内に添加剤が収容されるカップ状のカートリッジと、
前記装着筒部に対して装着されると共に、前記カートリッジを装着筒部の中心軸方向に沿って離脱自在に保持する保持部材と、を備え、
前記保持部材に対して前記カートリッジを組み合わせることで、前記主剤と前記添加剤とを混合させた混合体を作製する混合容器であって、
前記カートリッジは、
前記複数の収容室が内部に形成され、開口部がシール材で密封された有底筒状の収容筒と、該収容筒を径方向の外側から間隔をあけて囲む外筒と、該外筒から径方向の外側に向けて突設された突起片と、を備え、
前記保持部材は、
前記外筒を径方向の外側から前記中心軸回りに、内面全体で回転自在に支持するガイド筒と、該ガイド筒内に配設され、前記中心軸方向に沿った前記容器本体の外方に向けて前記シール材を破断する刃部と、前記収容筒を径方向の外側から囲む囲繞筒と、を備え、
前記囲繞筒には、前記突起片を前記中心軸方向に沿ってスライド自在に収納させる膨出部が径方向の外側に向けて突設されていると共に、収納された突起片を前記中心軸回りに回転可能とさせる周溝が周方向に沿って形成され、
前記周溝は、前記囲繞筒を径方向に貫通すると共に、前記膨出部を起点として周方向に向けて延びるように形成され、
前記カートリッジは、前記突起片が前記膨出部内に収納されることで、前記刃部と前記隔壁とが前記中心軸方向で非接触となるように前記保持部材に対して周方向に位置決めされながら組み合わされることを特徴とする混合容器。
【請求項２】
請求項１に記載の混合容器において、
前記周溝は、前記膨出部を起点として周方向の一方向に向けて延びるように形成されていることを特徴とする混合容器。
【請求項３】
請求項１又は２に記載の混合容器において、
前記カートリッジは、前記突起片を複数備え、
複数の前記突起片は、前記中心軸を中心として周方向に不均等に配置されるように形成、又はその形状がそれぞれ異なるように形成され、
前記囲繞筒には、複数の前記突起片に対応して前記膨出部及び前記周溝が複数形成されていることを特徴とする混合容器。
【請求項４】
請求項１から３のいずれか１項に記載の混合容器において、
前記添加剤は、農業用薬剤の濃縮剤であることを特徴とする混合容器。
【発明の詳細な説明】
【技術分野】
【０００１】
本発明は、主剤が収容された容器本体に添加剤を添加して、主剤と添加剤とを混合させる混合容器に関する。
【背景技術】
【０００２】
従来から、例えば殺菌剤若しくは殺虫剤等の農業用薬剤、又は接着剤等の薬剤、或いは食品として、主剤に添加剤を添加した混合体を使用又は飲食するものが提供されている。
この種の用途に適した混合容器としては、例えば、主剤が収容された容器本体に設けられた装着筒と、添加剤が収容されると共にその開口部がシール材でシールされたカップ体と、該カップ体を保持すると共に装着筒に螺着されるキャップ体と、を具備する混合容器が知られている（特許文献１、２参照）。
【０００３】
上記混合容器によれば、装着筒に対してキャップ体を螺着させると、装着筒内に設けられた刃部がシール材を破断してカップ体を開封する。これにより、カップ体に収容された添加剤が装着筒を通じて容器本体に流入し、主剤に添加されることで上記混合体が作製される。
【先行技術文献】
【特許文献】
【０００４】
【特許文献１】特開２００７−６２７６８号公報
【特許文献２】特開２０１１−６３２７５号公報
【発明の概要】
【発明が解決しようとする課題】
【０００５】
しかしながら、上記した従来の混合容器では、混合体を作製するにあたり、キャップ体にカップ体を保持させる作業や、装着筒に対してキャップ体を捩じ込んで螺着させる作業が必要であるので、操作に手間がかかり、その操作性に改善の余地があった。
【０００６】
本発明は、このような事情に鑑みてなされたものであって、その目的は、簡便な操作で、主剤に対して添加剤を確実に添加して混合体を作製することができる混合容器を提供することである。
【課題を解決するための手段】
【０００７】
上記の目的を達成するために、この発明は以下の手段を提供している。
（１）本発明に係る混合容器は、主剤が収容される胴部と、該胴部内に連通した装着筒部と、を有する容器本体と、隔壁によって区画された内容積の異なる複数の収容室を有し、少なくとも１つの収容室内に添加剤が収容されるカップ状のカートリッジと、前記装着筒部に対して装着されると共に、前記カートリッジを装着筒部の中心軸方向に沿って離脱自在に保持する保持部材と、を備え、前記保持部材に対して前記カートリッジを組み合わせることで、前記主剤と前記添加剤とを混合させた混合体を作製する混合容器であって、前記カートリッジは、前記複数の収容室が内部に形成され、開口部がシール材で密封された有底筒状の収容筒と、該収容筒を径方向の外側から間隔をあけて囲む外筒と、該外筒から径方向の外側に向けて突設された突起片と、を備え、前記保持部材は、前記外筒を径方向の外側から前記中心軸回りに、内面全体で回転自在に支持するガイド筒と、該ガイド筒内に配設され、前記中心軸方向に沿った前記容器本体の外方に向けて前記シール材を破断する刃部と、前記収容筒を径方向の外側から囲む囲繞筒と、を備え、前記囲繞筒には、前記突起片を前記中心軸方向に沿ってスライド自在に収納させる膨出部が径方向の外側に向けて突設されていると共に、収納された突起片を前記中心軸回りに回転可能とさせる周溝が周方向に沿って形成され、前記周溝は、前記囲繞筒を径方向に貫通すると共に、前記膨出部を起点として周方向に向けて延びるように形成され、前記カートリッジは、前記突起片が前記膨出部内に収納されることで、前記刃部と前記隔壁とが前記中心軸方向で非接触となるように前記保持部材に対して周方向に位置決めされながら組み合わされることを特徴とする。
【０００８】
本発明に係る混合容器によれば、カートリッジの突起片を保持部材の囲繞筒に設けられた膨出部に位置合わせしながら、カートリッジを装着筒部の中心軸方向に沿って押し込むことで、突起片を膨出部内にスライド移動させながら収納することができると共に、保持部材に対してカートリッジを組み合わせることができる。これにより、刃部を利用してシール材を破断でき、カートリッジの複数の収容室を開封できる。この際、突起片が膨出部内に収納されることで、刃部と隔壁とが中心軸方向で非接触となるようにカートリッジが保持部材に対して周方向に位置決めされるので、刃部を隔壁に干渉させることなく確実にシール材だけを破断できる。
次いで、装着したカートリッジを保持部材に対して装着筒部の中心軸回りに回転させることで、シール材を破断した刃部が該シール材を周方向に広範囲に切り裂く。これにより、複数の収容室のうち少なくとも１つの収容室内に収容された添加剤が装着筒部を通過して容器本体の内部に確実に流入し、主剤に添加される。
【０００９】
このように、カートリッジを保持部材に対して押し込んで装着し、その後に続けて回転させるだけの簡便な操作だけで、主剤に添加剤を確実に添加して混合体を作製することができる。特に、従来の螺着方式とは異なり、無駄の少ない連続した最少限の操作で混合体を作製できるので、使い勝手に優れている。
また、カートリッジを回転させる際、膨出部に収納されたカートリッジの突起片を周溝でガイドしながら周方向に移動させることができるので、カートリッジをがたつき少なく回転させることができ、シール材を安定して切断できる。これにより、添加剤を収容室内に残すことなく容器本体内に流入させることができ、所望の混合比率の混合体とすることができる。
また、添加剤を収容させる収容室を適宜選択することで、主剤に対する添加剤の添加量を容易且つ正確に変更でき、例えば用途等に応じて混合体の濃縮度を変化させ易い。
【００１０】
（２）上記本発明に係る混合容器において、前記周溝は、前記膨出部を起点として周方向の一方向に向けて延びるように形成されていることが好ましい。
【００１１】
この場合には、カートリッジを回転させる方向を一方向に規定できるので、混合体を作製する操作をより簡便にすることができると共に、シール材をより安定して切断し易い。
【００１２】
（３）上記本発明に係る混合容器において、前記カートリッジは、前記突起片を複数備え、複数の前記突起片は、前記中心軸を中心として周方向に不均等に配置されるように形成、又はその形状がそれぞれ異なるように形成され、前記囲繞筒には、複数の前記突起片に対応して前記膨出部及び前記周溝が複数形成されていることが好ましい。
【００１３】
この場合には、突起片を複数備えているので、カートリッジをよりがたつき少なく安定して回転させ易く、シール材をさらに安定して切断することができる。また、複数の突起片は、装着筒部の中心軸を中心として周方向に不均等に配置されているか、又はその形状がそれぞれ異なっているので、各突起片を間違えることなく各膨出部内に収納させて、保持部材に対してカートリッジを周方向に確実に位置決めした状態で組み合わせることができ、刃部と隔壁との中心軸方向における干渉を確実に回避できる。
【００１４】
（４）上記本発明に係る混合容器において、前記添加剤は、農業用薬剤の濃縮剤であることが好ましい。
【００１５】
この場合には、使用する直前に混合体とすることが一般に望まれているので好適である。なお、農業用薬剤として、例えば肥料、殺菌剤、殺虫剤、害虫忌避剤、除草剤、生物農薬、天然系農薬、展着剤、着果促進剤若しくは植物成長調整剤等が挙げられる。
【００１６】
これらのうち、生物農薬に属する農業用薬剤の濃縮剤の好適な例としては、例えば、バーティシリウム属、バチルス属、ペーシロマイセス属、ボーベリア属、若しくはメタリジウム属等に属する害虫に対して感染力を有する微生物、または、アグロバクテリウム属、アクチノマデュラ属、エンテロバクター属、キサトスポリア属、キブデロスポランジウム属、シュードモナス属、ストレプトミセス属、バチルス属、フザリウム属、若しくはペレニポリア属等に属する抗生物質産生微生物、または、アシネトバクター属、アムペロミシス属、アルカンジウム属、エルビニア属、エンテロバクター属、クラドスポリウム属、コリネバクテリウム属、シストバクター属、シュードモナス属、セラチア属、トリコデルマ属、バチルス属、フザリウム属、ペーシロマイセス属、ペニシリウム属、若しくはミキソコッカス属等に属する病原菌に対して拮抗性を有する微生物、または、ザントモナス属、若しくはメタリジウム属等に属する雑草に対して感染力を有する微生物、または、アスペルギルス属、アルスポトリス属、ストレプトミセス属、トリコデルマ属、バチルス属、バクセラ属、バエシロミセス属、パスツリア属、ミロテシウム属、若しくはモナクロスボリウム属等に属する殺線虫性を有する微生物、または、弱毒ウィルス、若しくはバクテリオファージ等に属する病原菌に対して感染力を有するウィルス等を、乾燥等によって製剤化したもの等が挙げられる。
また天然系農薬に属する農業用薬剤の濃縮剤の好適な例としては、例えば、バチルス・チューリンゲンシス由来のＢｔたんぱく質を乾燥等によって製剤化したもの、あるいは微生物や植物の産生した有機物を濃縮製剤化したもの等が挙げられる。
特に、前記添加剤が、生物農薬若しくは天然系農薬に属する農業用薬剤の濃縮剤である場合には、混合体の状態では、時間の経過に伴い効能の低下、変質、あるいは腐敗等が発生し易く、使用する直前に混合体とすることが特に望まれているので、前述の作用効果が顕著に奏功されることとなる。
【発明の効果】
【００１７】
本発明に係る混合容器によれば、簡便な操作で、主剤に対して添加剤を確実に添加して混合体を作製することができる。
【図面の簡単な説明】
【００１８】
【図１】本発明に係る混合容器の実施形態を示す一部縦断面図である。
【図２】図１に示す部分拡大図である。
【図３】図１に示すカートリッジの上面図である。
【図４】図３に示すＡ−Ａ断面図である。
【図５】図３に示すカートリッジの下方図である。
【図６】図１に示す保持部材の断面図である。
【図７】図６に示す保持部材の上面図である。
【図８】図６に示す保持部材の下面図である。
【図９】図７に示す保持部材を矢印Ｂ方向から見た側面図である。
【図１０】図７に示す保持部材を矢印Ｃ方向から見た側面図である。
【図１１】図１に示す状態における、保持部材及びカートリッジの組み合わせ状態を示す側面図である。
【発明を実施するための形態】
【００１９】
以下、本発明に係る混合容器の実施形態について図面を参照して説明する。
＜混合容器の構成＞
図１及び図２に示すように、本実施形態の混合容器１は、主剤Ｍ１が収容される容器本体２と、添加剤Ｍ２が収容されるカートリッジ３と、容器本体２に装着された保持部材４と、を備え、保持部材４に対してカートリッジ３を組み合わせることで、主剤Ｍ１と添加剤Ｍ２とを混合させた混合体を作製することが可能な容器である。
【００２０】
なお、上記主剤Ｍ１は容器本体２内に詰め替え可能とされている。また、添加剤Ｍ２が収容されたカートリッジ３が販売されている場合には、混合容器１のうち少なくとも容器本体２及び保持部材４については繰り返し使用することが可能とされている。
【００２１】
また混合体としては、例えば農業用薬剤若しくは接着剤等の薬剤、あるいは食品等が挙げられる。これらのうち、農業用薬剤としては、例えば肥料、殺菌剤、殺虫剤、害虫忌避剤、除草剤、生物農薬、天然系農薬、展着剤、着果促進剤若しくは植物成長調整剤等が挙げられる。
さらに混合体としては、主剤Ｍ１としての希釈液中に添加剤Ｍ２としての濃縮剤を添加して、有効成分が適切な濃度に希釈されたもの、主剤Ｍ１と添加剤Ｍ２とを混合することで新たな性質を示す生成物、あるいは主剤Ｍ１に例えば芳香成分や調味料等の添加剤Ｍ２を単に添加したもの等が挙げられる。
【００２２】
また、混合体が農業用薬剤の場合、主剤Ｍ１と添加剤Ｍ２との組み合わせとしては、例えば、肥料と殺虫剤、肥料と殺菌剤、殺菌剤と殺虫剤、殺菌スペクトラムが互いに異なる複数の殺菌剤、殺虫スペクトラムが互いに異なる複数の殺虫剤、展着剤と殺菌剤、展着剤と殺虫剤、または、水と肥料、殺菌剤、殺虫剤、害虫忌避剤、除草剤、生物農薬、天然系農薬、展着剤、着果促進剤若しくは植物成長調整剤等が挙げられる。
さらに、添加剤Ｍ２の剤型としては、例えば、顆粒水和剤若しくは顆粒水溶剤である顆粒剤、錠剤、粒剤、粉剤、水和剤、乳剤、液剤、油剤、フロアブル剤、エマルション剤、マイクロエマルション剤、またはサスポエマルション剤等が挙げられる。
【００２３】
（容器本体）
容器本体２は、主剤Ｍ１が収容される胴部２ａと、該胴部２ａの上端部に設けられた口部２ｂと、該口部２ｂよりも下方に位置した部分において胴部２ａに突設され、且つ容器本体２内に連通する装着筒部２ｃと、を備えている。
口部２ｂには、注出具としてトリガー式噴出器５が装着されている。このトリガー式噴出器５は、トリガー５ａを揺動させる操作によって、作製された容器本体２内の混合体を吸い上げた後、ノズル５ｂから外部に噴出させる部材である。
【００２４】
装着筒部２ｃは、容器本体２の底部側から口部２ｂ側に向かうに従い容器本体２の外方に向けて、つまり斜め上方に向けて延在している。そして、この装着筒部２ｃに対して上記保持部材４が螺着されている。但し、螺着に限定されるものではなく、装着筒部２ｃに対して装着されていれば良い。例えば、回り止めがなされた状態でアンダーカット嵌合によって装着されていても良い。
【００２５】
なお、保持部材４及びカートリッジ３は、装着筒部２ｃの中心軸Ｏと同軸に配設されている。以下、この中心軸Ｏに沿って容器本体２の外方に向かう方向を上方、容器本体２の内方に向かう方向を下方といい、中心軸Ｏに直交する方向を径方向、中心軸Ｏ回りに周回する方向を周方向という。
【００２６】
（カートリッジ）
カートリッジ３は、図３〜図５に示すように、隔壁１１によって区画された内容積の異なる２つの収容室Ｒ１、Ｒ２が内部に形成され、開口部がシール材１２で密封された有底筒状の収容筒１０と、この収容筒１０を径方向の外側から間隔を開けて囲む外筒１３と、この外筒１３から径方向の外側に向けて突設された３つの突起片１４Ａ、１４Ｂ、１４Ｃと、を具備するカップ状の部材である。
【００２７】
なお、このカートリッジ３は、図２に示すように、シール材１２側を下方に向けた姿勢で保持部材４に対して組み合わされる部材であり、図示の例では組み合わせ時の姿勢に対応して上下方向を逆向きとしている。従って、以下の説明では、図示の姿勢に応じた上下方向で説明する。つまり、上記収容筒１０は、下方に開口した有頂筒状に形成されているものとして説明する。
【００２８】
上記収容筒１０は、上端部が段付きの２段形状とされており、これにより収容筒１０内には、開口端からの高さ（深さ）が異なる２つの空間が画成されている。そして、この２つの空間を仕切るように上記隔壁１１が収容筒１０内に形成されており、一方の空間側が一方の収容室Ｒ１、他方の空間側が他方の収容室Ｒ２とされている。
そして、本実施形態では、収容室Ｒ２よりも内容積の大きい収容室Ｒ１内に添加剤Ｍ２が収容されているものとして説明する。なお、図３〜図５においては、添加剤Ｍ２の図示を省略している。
【００２９】
収容筒１０の開口端及び隔壁１１の下端には、上記シール材１２が貼着されており、これにより収容筒１０の開口部が密封されている。なお、シール材１２としては、円形薄膜状のフィルムやシート等が挙げられる。
上記外筒１３は、中心軸Ｏと同軸に配置されていると共に収容筒１０の下端部寄りに配置され、その上端部は収容筒１０から径方向の外側に向けて突設された環状のフランジ部１５に連設されている。
【００３０】
上記３つの突起片１４Ａ、１４Ｂ、１４Ｃは、外筒１３とフランジ部１５とが連設した部分から径方向の外側に向けて突設された板片であって、周方向に間隔を開けて配置されている。図示の例では、３つの突起片１４Ａ、１４Ｂ、１４Ｃは、中心軸Ｏを中心として周方向に不均等に配置されている。具体的には、突起片１４Ｂ及び突起片１４Ｃと、突起片１４Ａにおける周方向で対向する側壁部と、の間隔が１３０度程度とされている。これにより、突起片１４Ｂ、１４Ｃは、図３において突起片１４Ａにおける周方向中間部と中心軸Ｏとを径方向に沿って結ぶ仮想線Ｌに対して、略線対称となるように配置されている。
【００３１】
更に、これら３つの突起片１４Ａ、１４Ｂ、１４Ｃは、周方向に沿った周長（図３に示す長さＷ）がそれぞれ異なるように形成されている。具体的には、突起片１４Ａ、突起片１４Ｂ、突起片１４Ｃの順に周長が短くなるように形成されている。従って、形状による違いによって、３つの突起片１４Ａ、１４Ｂ、１４Ｃを視覚的に容易に判別することが可能とされている。
【００３２】
また、収容筒１０の外周面には、中心軸Ｏ方向に沿って延びる２つの縦リブ１６が形成されている。これら縦リブ１６は、中心軸Ｏを挟んで径方向の反対側に位置し、且つ上記した仮想線Ｌに沿って配置されるように形成されている。この際、一方の縦リブ１６は、段付き形状とされた収容筒１０の高さの低くなった部分の上方に回りこむように形成されている。
【００３３】
（保持部材）
保持部材４は、カートリッジ３を中心軸Ｏ方向に沿って離脱自在に保持する部材であって、図２及び図６〜図１０に示すように、装着筒部２ｃに螺着される装着筒２０と、装着筒部２ｃの内側に配置され、カートリッジ３の外筒１３を径方向の外側から中心軸Ｏ回りに回転自在に支持するガイド筒２１と、このガイド筒２１内に配設され、カートリッジ３のシール材１２を上方に向けて破断する刃部２２と、カートリッジ３の収容筒１０を径方向の外側から囲む囲繞筒２３と、を備えている。
【００３４】
装着筒２０の外周面には、中心軸Ｏ方向に沿って延びる２つの縦リブ２５が形成されている。これら縦リブ２５は、中心軸Ｏを挟んで径方向の反対側に位置している。そして、この縦リブ２５を利用して、容器本体２の装着筒部２ｃに保持部材４を螺着する操作を容易に行うことが可能とされている。
【００３５】
上記ガイド筒２１は、装着筒２０の径方向の内側に位置しており、該ガイド筒２１の上端部と装着筒２０の上端部とが環状の連結壁２６によって連結されている。なお、連結壁２６と装着筒部２ｃの開口端との間には環状のパッキン２７（図２参照）が介在されており、連結壁２６と装着筒部２ｃの開口端との間の隙間を液密に封止している。
また、ガイド筒２１は、その内径がカートリッジ３の外筒１３が接する程度のサイズとされており、これにより内面全体で外筒１３を回転自在に支持している。ガイド筒２１の下端部には、装着筒部２ｃを塞ぐ円板部２８が連設されている。そして、この円板部２８に複数の上記刃部２２が上方に向けて先鋭化した状態で、周方向に間隔を開けて立設されている。また、円板部２８における刃部２２と刃部２２との間の部分は、円板部２８を貫通する開口部２８ａとされている。
【００３６】
上記囲繞筒２３は、連結壁２６から上方に向けて立設された筒体であり、その内径は上記ガイド筒２１の内径よりも拡径している。そして、この囲繞筒２３にはカートリッジ３の３つの突起片１４Ａ、１４Ｂ、１４Ｃを中心軸Ｏ方向に沿ってスライド自在に収納させる３つの膨出部３０Ａ、３０Ｂ、３０Ｃが、３つの突起片１４Ａ、１４Ｂ、１４Ｃの位置及び形状に対応して径方向の外側に向けて膨らむように形成されている。
【００３７】
つまり、突起片１４Ａを収納する膨出部３０Ａと、突起片１４Ｂを収納する膨出部３０Ｂと、突起片１４Ｃを収納する膨出部３０Ｃと、がそれぞれ形成されている。これにより、各突起片１４Ａ、１４Ｂ、１４Ｃを各膨出部３０Ａ、３０Ｂ、３０Ｃ内に嵌め込みながら、保持部材４に対してカートリッジ３を組み合わせることが可能とされ、それによってカートリッジ３は保持部材４に対して周方向に位置決めされながら組み合わされる。そして、カートリッジ３を保持部材４に組み合わせることで、保持部材４の刃部２２がカートリッジ３のシール材１２を上方に向けて破断することが可能とされている。
【００３８】
ところで、複数の刃部２２は、カートリッジ３が周方向に位置決めされながら保持部材４に組み合わされた際、カートリッジ３の収容筒１０内で２つの収容室Ｒ１、Ｒ２を区画している隔壁１１に対して中心軸Ｏ方向で非接触となるように設けられている。
【００３９】
また、囲繞筒２３には、膨出部３０Ａ、３０Ｂ、３０Ｃ内に収納されたカートリッジ３の突起片１４Ａ、１４Ｂ、１４Ｃを中心軸Ｏ回りに回転可能とさせる周溝３１が、当該膨出部３０Ａ、３０Ｂ、３０Ｃの下端部から周方向に沿って形成されている。しかも、この周溝３１は、膨出部３０Ａ、３０Ｂ、３０Ｃを起点として周方向の一方向（図示の例では、上方から見て時計方向）に向けて延びるように形成されている（図７参照）。
これにより、図１１に示すように、保持部材４に対してカートリッジ３を周方向の一方向に回転（例えば４０度〜６０度）させることが可能とされている。なお、カートリッジ３の収容筒１０には、上記回転方向を示す矢印Ｐが明示されている（図３参照）。
【００４０】
＜混合容器の使用＞
次に、上述したように構成された混合容器１を使用して、主剤Ｍ１に添加剤Ｍ２を添加して混合体を作製する場合について説明する。
なお、容器本体２の装着筒部２ｃに保持部材４が螺着されており、カートリッジ３が保持部材４から分離している状態から説明する。
【００４１】
まず、カートリッジ３のシール材１２を保持部材４側に向けた姿勢で、カートリッジ３の突起片１４Ａ、１４Ｂ、１４Ｃを保持部材４の囲繞筒２３に設けられた膨出部３０Ａ、３０Ｂ、３０Ｃに対してそれぞれ位置合わせしながら、カートリッジ３を中心軸Ｏ方向に沿って下方に押し込む。これにより、各突起片１４Ａ、１４Ｂ、１４Ｃを各膨出部３０Ａ、３０Ｂ、３０Ｃ内にスライド移動させながら収納することができると共に、カートリッジ３の外筒１３が保持部材４のガイド筒２１内及び囲繞筒２３内に進入するので、保持部材４に対してカートリッジ３を組み合わせることができる。また、カートリッジ３を組み合わせることで、刃部２２を利用してシール材１２を破断でき、カートリッジ３の２つの収容室Ｒ１、Ｒ２を開封できる。
【００４２】
この際、各突起片１４Ａ、１４Ｂ、１４Ｃが各膨出部３０Ａ、３０Ｂ、３０Ｃ内に収納されることで、刃部２２と隔壁１１とが非接触となるようにカートリッジ３が保持部材４に対して周方向に位置決めされるので、刃部２２を隔壁１１に干渉させることなく確実にシール材１２だけを破断できる。
【００４３】
次いで、図１１に示すように、装着したカートリッジ３を保持部材４に対して周方向の一方向に向けて回転させることで、シール材１２を破断した刃部２２が該シール材１２を周方向に亘って広範囲に切り裂く。これにより、図２に示すように、収容室Ｒ１内に収容された添加剤Ｍ２が、保持部材４の開口部２８ａ及び装着筒部２ｃを通過して容器本体２の内部に確実に流入し、主剤Ｍ１に添加される。
【００４４】
このように、カートリッジ３を保持部材４に対して押し込んで装着し、その後に続けて回転させるだけの簡便な操作だけで、主剤Ｍ１に添加剤Ｍ２を確実に添加して混合体を作製することができる。特に、従来の螺着方式とは異なり、無駄の少ない連続した最少限の操作で混合体を作製できるので、使い勝手に優れている。
【００４５】
また、カートリッジ３を回転操作する際、膨出部３０Ａ、３０Ｂ、３０Ｃ内に収納されたカートリッジ３の突起片１４Ａ、１４Ｂ、１４Ｃを周溝３１でガイドしながら周方向に移動させることができるので、カートリッジ３をがたつき少なく回転させることができ、シール材１２を安定して切断できる。
これにより、添加剤Ｍ２を収容室Ｒ１内に残すことなく容器本体２内に流入させることができ、所望の混合比率の混合体とすることができる。
【００４６】
しかも、本実施形態では、カートリッジ３が３つの突起片１４Ａ、１４Ｂ、１４Ｃを有しているので、カートリッジ３をよりがたつき少なく安定して回転させ易く、シール材１２をより安定して切断できる。加えて、周溝３１が膨出部３０Ａ、３０Ｂ、３０Ｃを起点として一方向に向けて延びているので、カートリッジ３の回転方向を一方向に規定できる。従って、この点においても、混合体を作製する操作をより簡便にすることができると共に、シール材１２を安定に切断し易い。
【００４７】
なお、形状による違いによって３つの突起片１４Ａ、１４Ｂ、１４Ｃを視覚的に容易に判別することができるうえ、各突起片１４Ａ、１４Ｂ、１４Ｃに対応して膨出部３０Ａ、３０Ｂ、３０Ｃが形成されているので、間違えることなく各突起片１４Ａ、１４Ｂ、１４Ｃを各膨出部３０Ａ、３０Ｂ、３０Ｃ内に収納させて、保持部材４に対してカートリッジ３を周方向に確実に位置決めした状態で組み合わせることができ、刃部２２と隔壁１１との干渉を確実に回避できる。
【００４８】
なお、２つの収容室Ｒ１、Ｒ２のうち、内容積の大きい収容室Ｒ１内に添加剤Ｍ２を収容させたが、内容積の小さい収容室Ｒ２内に添加剤Ｍ２を収容させても構わない。このように、添加剤Ｍ２を収容させる収容室Ｒ１、Ｒ２を適宜選択することで、主剤Ｍ１に対する添加剤Ｍ２の添加量を容易且つ正確に変更でき、例えば用途等に応じて混合体の濃縮度を変化させ易い。
更に、２つの収容室Ｒ１、Ｒ２のうちの一方にだけ添加剤Ｍ２を収容するのではなく、収容室Ｒ１、Ｒ２の両方に添加剤Ｍ２を収容させても構わない。この場合、同一の添加剤Ｍ２を収容しても良いし、異なる添加剤Ｍ２を収容しても良い。
更には、収容室の数は２つに限定されるものではなく、３つ以上としても良い。この場合には、少なくとも１つの収容室内に添加剤Ｍ２が収容されていれば良い。
【００４９】
更に、添加剤Ｍ２として、農業用薬剤の濃縮剤が採用された場合には、使用する直前に混合体とすることが一般に望まれているので好適である。
特に、添加剤Ｍ２が、生物農薬若しくは天然系農薬に属する農業用薬剤の濃縮剤である場合には、混合体の状態では、時間の経過に伴い効能の低下、変質、あるいは腐敗等が発生し易く、使用する直前に混合体とすることが特に望まれているので、前述の作用効果が顕著に奏功されることとなる。
【００５０】
なお、本発明の技術範囲は、上記実施形態に限定されるものではなく、本発明の趣旨を逸脱しない範囲において、種々の変更を加えることが可能である。
【００５１】
例えば、上記実施形態では、容器本体２の口部２ｂにトリガー式噴出器５を装着したが、これに代えて例えば、ポンプ、注出ノズル若しくは注出孔が形成されたキャップ体等の他の注出具、あるいは封止キャップ等を装着しても良い。
また、容器本体２の胴部２ａに装着筒部２ｃを１つだけ設けた構成としたが、２つ以上設け、それぞれに保持部材４を装着したうえでカートリッジ３を組み合わせても構わない。また装着筒部２ｃの突設方向は前述の斜め上方に限らず、例えば鉛直方向若しくは水平方向であっても良い。
【００５２】
また、カートリッジ３の構成は、上記実施形態に限定されるものではなく適宜変更して良い。
例えば、３つの突起片１４Ａ、１４Ｂ、１４Ｃを具備する構成としたが、１つ又は２つでも４つ以上でも構わない。複数設けた場合には、配置や形状の差異等によって、保持部材４に対して周方向に位置決めされた状態でカートリッジ３を確実に組み合わせることができるように構成すれば良い。
また、収容筒１０を段付きの２段形状となるように構成したが、段付きに形成しなくても構わない。この場合であっても、隔壁１１によって内容積の異なる２つの収容室Ｒ１、Ｒ２を画成することが可能である。
また、外筒１３は必須ではなく、具備しなくても構わない。この場合には、収容筒１０を保持部材４のガイド筒２１に接する程度まで拡径させると共に、収容筒１０から突起片１４Ａ、１４Ｂ、１４Ｃを突設させれば良い。
【００５３】
また、保持部材４の構成は、上記実施形態に限定されるものではなく適宜変更して良い。
例えば、膨出部３０Ａ、３０Ｂ、３０Ｃを起点として周方向の一方向に延びるように周溝３１を形成し、カートリッジ３の回転方向を一方向に規制したが、膨出部３０Ａ、３０Ｂ、３０Ｃを中心として周方向の一方向及び他方向にそれぞれ延びるように周溝３１を形成しても構わない。この場合には、カートリッジ３を一方向及び他方向の両方向に適宜回転させることで、シール材１２を広範囲に切断することが可能となる。
【符号の説明】
【００５４】
Ｏ…中心軸
Ｍ１…主剤
Ｍ２…添加剤
Ｒ１、Ｒ２…収容室
１…混合容器
２…容器本体
２ａ…胴部
２ｃ…装着筒部
３…カートリッジ
４…保持部材
１０…収容筒
１１…隔壁
１２…シール材
１４Ａ、１４Ｂ、１４Ｃ…突起片
２１…ガイド筒
２２…刃部
２３…囲繞筒
３０Ａ、３０Ｂ、３０Ｃ…膨出部
３１…周溝
【図１】
0005767949.tif 000002
【図２】
0005767949.tif 000003
【図３】
0005767949.tif 000004
【図４】
0005767949.tif 000005
【図５】
0005767949.tif 000006
【図６】
0005767949.tif 000007
【図７】
0005767949.tif 000008
【図８】
0005767949.tif 000009
【図９】
0005767949.tif 000010
【図１０】
0005767949.tif 000011
【図１１】
0005767949.tif 000012